(57)【要約】【課題】弱電界区間におけるデジタルマルチメディア放送サービスの提供。【解決手段】第１のＤＭＢ受信モードと第２のＤＭＢ受信モードが両立可能な端末においてデジタルマルチメディア放送（ＤＭＢ）サービスを提供するための方法において、ＤＭＢ受信モードを第１のＤＭＢ受信モードに設定するに伴い、第１のＤＭＢ受信モード中に第２のＤＭＢパケットデータを検出するステップと、第１のＤＭＢ受信モード中に第１のＤＭＢサービスが提供てきない場合、第２のＤＭＢパケットデータの検出有無を検査するステップと、第２のＤＭＢパケットが検出されると、第１のＤＭＢ受信モードを第２のＤＭＢ受信モードに切り替え可能である旨を報知するステップと、ユーザーから受信モードの切り替えの要求があれば、第１のＤＭＢ受信モードを第２のＤＭＢ受信モードに切り替えるステップと、を含む弱電界区間におけるデジタルマルチメディア放送サービスの提供方法。【選択図】図２
2007159121.tif 000002
【特許請求の範囲】
【請求項１】
デジタルマルチメディア放送（ＤＭＢ：Ｄｉｇｉｔａｌ  Ｍｕｌｔｉｍｅｄｉａ  Ｂｒｏａｄｃａｓｔｉｎｇ）サービスを提供するための装置において、
第１のＤＭＢパケットデータを受信して出力する第１のＤＭＢ受信部と、
第２のＤＭＢパケットデータを受信して出力する第２のＤＭＢ受信部と、
前記第１及び第２のＤＭＢ受信部から入力されたパケットデータが第１のＤＭＢパケットデータであるか、あるいは、第２のＤＭＢパケットデータであるかを判断するパケット判断部と、
第１のＤＭＢ受信モード中に前記第１のＤＭＢサービスが提供できない場合、前記パケット判断部において第２のＤＭＢパケットデータが検出されると、前記第１のＤＭＢ受信モードを前記第２のＤＭＢ受信モードに切り替え可能である旨を報知し、前記受信モードの切り替えの要求があれば、前記第１のＤＭＢ受信モードを前記第２のＤＭＢ受信モードに切り替えるように制御する制御部と、を備えることを特徴とする弱電界区間におけるデジタルマルチメディア放送サービスの提供装置。
【請求項２】
前記制御部は、前記第２のＤＭＢ受信モード中に前記第２のＤＭＢサービスが提供できない場合、前記パケット判断部において第１のＤＭＢパケットデータが検出されると、前記第２のＤＭＢ受信モードを前記第１のＤＭＢ受信モードに切り替え可能である旨を報知し、受信モードの切り替えの要求があれば、前記第２のＤＭＢ受信モードを前記第１のＤＭＢ受信モードに切り替えるように制御する手段をさらに備えることを特徴とする請求項１に記載の弱電界区間におけるデジタルマルチメディア放送サービスの提供装置。
【請求項３】
前記第１のＤＭＢ受信部は、受信した第１のＤＭＢパケットデータのシンクバイト内に第１のＤＭＢパケットである旨を示すための値を挿入した上で出力し、第２のＤＭＢ受信部は、受信した第２のＤＭＢパケットデータのシンクバイト内に第２のＤＭＢパケットである旨を示すための値を挿入した上で出力することを特徴とする請求項１に記載の弱電界区間におけるデジタルマルチメディア放送サービスの提供装置。
【請求項４】
前記パケット判断部は、前記第１及び第２のＤＭＢ受信部のうち少なくともいずれか一方の受信部から出力されるパケットデータに挿入されたシンクバイトを検査して、入力されたパケットデータが第１のＤＭＢパケットデータであるか、あるいは、第２のＤＭＢパケットデータであるかを判断することを特徴とする請求項３に記載の弱電界区間におけるデジタルマルチメディア放送サービスの提供装置。
【請求項５】
前記第１のＤＭＢサービスが提供できない場合は、弱電界区間に位置していて前記第１のＤＭＢサービスが提供できない場合であることを特徴とする請求項１に記載の弱電界区間におけるデジタルマルチメディア放送サービスの提供装置。
【請求項６】
前記制御部は、第１のＤＭＢ受信モード中に前記第２のＤＭＢパケットデータを検出して、前記第２のＤＭＢパケットデータが検出されると、前記検出されたパケットデータが受信されている放送チャンネルの一覧を生成することを特徴とする請求項１に記載の弱電界区間におけるデジタルマルチメディア放送サービスの提供装置。
【請求項７】
前記制御部は、前記第１のＤＭＢサービスが提供できない場合、前記パケット判断部において第２のＤＭＢパケットデータが検出されると、前記第１のＤＭＢ受信モードを前記第２のＤＭＢ受信モードに切り替え可能である旨を報知し、且つ、現在受信されている放送チャンネルの一覧を報知するように制御する手段をさらに備えることを特徴とする請求項６に記載の弱電界区間におけるデジタルマルチメディア放送サービスの提供装置。
【請求項８】
前記制御部は、第１のＤＭＢ受信モード中に前記第１のＤＭＢサービスが提供できない場合、前記パケット判断部において第２のＤＭＢパケットデータの検出有無を検査し、前記第２のＤＭＢパケットデータが検出されていなければ、現在ＤＭＢサービスが提供できない旨を報知するように制御する手段をさらに備えることを特徴とする請求項１に記載の弱電界区間におけるデジタルマルチメディア放送サービスの提供装置。
【請求項９】
前記制御部は、第２のＤＭＢ受信モード中に前記第１のＤＭＢパケットデータの検出を行い、前記第１のＤＭＢパケットデータが検出されると、前記検出されたパケットデータが受信されている放送チャンネルの一覧を生成することを特徴とする請求項１に記載の弱電界区間におけるデジタルマルチメディア放送サービスの提供装置。
【請求項１０】
前記制御部は、前記第２のＤＭＢサービスが提供できない場合、前記パケット判断部において第１のＤＭＢパケットデータが検出されると、前記第２のＤＭＢ受信モードを前記第１のＤＭＢ受信モードに切り替え可能である旨を報知し、且つ、現在受信されている放送チャンネルの一覧を報知するように制御する手段をさらに備えることを特徴とする請求項９に記載の弱電界区間におけるデジタルマルチメディア放送サービスの提供装置。
【請求項１１】
前記制御部は、第２のＤＭＢ受信モード中に前記第２のＤＭＢサービスが提供できない場合、前記パケット判断部において第１のＤＭＢパケットデータの検出有無を検査し、前記第１のＤＭＢパケットデータが検出されていなければ、現在ＤＭＢサービスが提供できない旨を報知するように制御する手段をさらに備えることを特徴とする請求項１に記載の弱電界区間におけるデジタルマルチメディア放送サービスの提供装置。
【請求項１２】
第１のＤＭＢ受信モードは衛星ＤＭＢ受信モードであり、第２のＤＭＢ受信モードは地上波ＤＭＢ受信モードであることを特徴とする請求項１に記載の弱電界区間におけるデジタルマルチメディア放送サービスの提供装置。
【請求項１３】
第１のＤＭＢ受信モードは地上波ＤＭＢ受信モードであり、第２のＤＭＢ受信モードは衛星受信モードであることを特徴とする請求項１に記載の弱電界区間におけるデジタルマルチメディア放送サービスの提供装置。
【請求項１４】
第１のＤＭＢ受信モードと第２のＤＭＢ受信モードが両立可能な端末においてデジタルマルチメディア放送（ＤＭＢ）サービスを提供するための方法において、
ＤＭＢ受信モードを第１のＤＭＢ受信モードに設定するに伴い、前記第１のＤＭＢ受信モード中に第２のＤＭＢパケットデータを検出するステップと、
前記第１のＤＭＢ受信モード中に前記第１のＤＭＢサービスが提供できない場合、前記第２のＤＭＢパケットデータの検出有無を検査するステップと、
前記第２のＤＭＢパケットが検出されると、前記第１のＤＭＢ受信モードを前記第２のＤＭＢ受信モードに切り替え可能である旨を報知するステップと、
ユーザーから受信モードの切り替えの要求があれば、前記第１のＤＭＢ受信モードを前記第２のＤＭＢ受信モードに切り替えるステップと、を含んでなることを特徴とする弱電界区間におけるデジタルマルチメディア放送サービスの提供方法。
【請求項１５】
前記受信モードの切り替えにより、前記第２のＤＭＢ受信モード中に前記第２のＤＭＢサービスが提供できない場合、第１のＤＭＢパケットデータが検出されると、前記第２のＤＭＢ受信モードを前記第１のＤＭＢ受信モードに切り替え可能である旨を報知するステップと、
受信モードの切り替えの要求があれば、前記第２のＤＭＢ受信モードを前記第１のＤＭＢ受信モードに切り替えるステップと、をさらに含んでなることを特徴とする請求項１４に記載の弱電界区間におけるデジタルマルチメディア放送サービスの提供方法。
【請求項１６】
前記第１のＤＭＢサービスが提供できない場合は、弱電界区間に位置していて前記第１のＤＭＢサービスが提供できない場合であることを特徴とする請求項１４に記載の弱電界区間におけるデジタルマルチメディア放送サービスの提供方法。
【請求項１７】
前記第１のＤＭＢ受信モード中に第２のＤＭＢパケットデータを検出するステップを行った後、前記第２のＤＭＢパケットデータが検出されると、前記検出されたパケットデータが受信されている放送チャンネルの一覧を生成するステップをさらに含んでなることを特徴とする請求項１４に記載の弱電界区間におけるデジタルマルチメディア放送サービスの提供方法。
【請求項１８】
前記第２のＤＭＢパケットが検出されると、前記第１のＤＭＢ受信モードを前記第２のＤＭＢ受信モードに切り替え可能である旨を報知するステップは、
前記第１のＤＭＢ受信モードを前記第２のＤＭＢ受信モードに切り替え可能である旨を報知し、且つ、現在受信されている放送チャンネルの一覧を報知するステップであることを特徴とする請求項１７に記載の弱電界区間におけるデジタルマルチメディア放送サービスの提供方法。
【請求項１９】
第１のＤＭＢ受信モード中に前記第１のＤＭＢサービスが提供できない場合、第２のＤＭＢパケットデータの検出有無を検査した後、前記第２のＤＭＢパケットデータが検出されていなければ、現在ＤＭＢサービスが提供できない旨を報知するステップをさらに含んでなることを特徴とする請求項１４に記載の弱電界区間におけるデジタルマルチメディア放送サービスの提供方法。
【請求項２０】
前記受信モードの切り替えの要求に応じて、第２のＤＭＢ受信モード中に前記第１のＤＭＢパケットデータを検出して、前記第１のＤＭＢパケットデータが検出されると、前記検出されたパケットデータが受信されている放送チャンネルの一覧を生成するステップをさらに含んでなることを特徴とする請求項１４に記載の弱電界区間におけるデジタルマルチメディア放送サービスの提供方法。
【請求項２１】
前記第２のＤＭＢサービスが提供できない場合、第１のＤＭＢパケットデータが検出されると、前記第２のＤＭＢ受信モードを前記第１のＤＭＢ受信モードに切り替え可能である旨を報知し、且つ、現在受信されている放送チャンネルの一覧を報知するステップをさらに含んでなることを特徴とする請求項２０に記載の弱電界区間におけるデジタルマルチメディア放送サービスの提供方法。
【請求項２２】
第２のＤＭＢ受信モード中に前記第２のＤＭＢサービスが提供できない場合、第１のＤＭＢパケットデータの検出有無を検査し、前記第１のＤＭＢパケットデータが検出されていなければ、現在ＤＭＢサービスが提供できない旨を報知するステップをさらに含んでなることを特徴とする請求項２１に記載の弱電界区間におけるデジタルマルチメディア放送サービスの提供方法。
【請求項２３】
第１のＤＭＢ受信モードは衛星ＤＭＢ受信モードであり、第２のＤＭＢ受信モードは地上波ＤＭＢ受信モードであることを特徴とする請求項１４に記載の弱電界区間におけるデジタルマルチメディア放送サービスの提供方法。
【請求項２４】
第１のＤＭＢ受信モードは地上波ＤＭＢ受信モードであり、第２のＤＭＢ受信モードは衛星受信モードであることを特徴とする請求項１４に記載の弱電界区間におけるデジタルマルチメディア放送サービスの提供方法。
【発明の詳細な説明】
【技術分野】
【０００１】
本発明は、デジタルマルチメディア放送（Ｄｉｇｉｔａｌ  Ｍｕｌｔｉｍｅｄｉａ  Ｂｒｏａｄｃａｓｔｉｎｇ、以下、「ＤＭＢ」と称する。）サービスを提供するための装置及び方法に係り、特に、弱電界区間におけるデジタルマルチメディア放送サービスの提供装置及び方法に関する。
【背景技術】
【０００２】
ＤＭＢサービスは、高品質の多チャンネルマルチメディア放送を楽しめる次世代のデジタル放送サービスである。この種のＤＭＢサービスは、通常、携帯端末や車両向けの端末に適用され、より広くは、家庭向けにも用いられる。かかるＤＭＢサービスは、電波の送出方式によって衛星ＤＭＢと地上波ＤＭＢとに大別できる。中でも、衛星ＤＭＢは、衛星を通じて放送コンテンツを送り出して、加入者が屋外にあるにせよ、または、加入者が移動中であるにせよ、指向性の受信アンテナを取り付けて個人携帯向けまたは車両向けの受信機を通じてビデオ、ビデオに含まれているオーディオ及びデータなどの種々のマルチメディア放送を多チャンネルにて視聴または聴取することのできる放送サービスのことである。また、地上波ＤＭＢは、割り当てられた周波数がＶＨＦ ＴＶチャンネル１２番（２０４〜２１０ＭＨｚ）にて提供される放送サービスである。
【０００３】
図１は、通常のデジタルマルチメディア放送システムを示している。
先ず、衛星ＤＭＢサービスを提供するための構成を説明すると、地上の衛星デジタルマルチメディア放送センター１０２から１３．８２４〜１３．８８３ＧＨｚの放送信号が衛星１００に送り出される。すると、衛星１００は、良質な信号を端末に与えるために、地上中継局１０４のための１２．２１４〜１２．２３９ＧＨｚの時分割多重方式（ＴＤＭ）信号と端末が直接的に受信するための２．６３０〜２．６５５ＧＨｚの信号を送り出す。地上中継局１０４は、衛星信号が到達できない地域に端末のための信号を送信するシステムである。このため、衛星１００から受信した１２、２１４〜１２、２３９ＧＨｚの時分割多重信号を復調した後、都心地域などの多重フェージング環境下でも移動受信が行えるようにコード多重信号に変調して２．６３０〜２．６５５ＧＨｚの信号として出力する。また、ＤＭＢ受信用の端末１０６は、固定式のもの、移動式のもの、または車両取付式のものなどの種々の形態のものが使用でき、衛星１００から直接的に信号を受信したり、地上中継局（ギャップフィラー）１０４を通じて信号を受信したりする。ＤＭＢ受信用の端末１０６がＤＭＢシステムの衛星１００から直接的に信号を受信する場合には、弱い信号レベルを有するＤＭＢ信号を受信する。すなわち、端末１０６が、地上中継局１０４が設置されている都心や都心隣接地域に位置していない場合には、衛星から信号を受信する。このように衛星１００からＤＭＢ信号が受信される地域を弱電界と称する。このとき、弱電界において受信されるＤＭＢ信号は、約−３０ｄＢｍから−１００ｄＢｍまでの信号レベルを有する。これに対し、ＤＭＢ受信用の端末１０６が地上中継局１０４の近くに位置して地上中継局１０４からＤＭＢ信号を受信する場合には、強い信号レベルを有するＤＭＢ信号を受信する。すなわち、端末１０６が、地上中継局１０４が設置されている都心や都心隣接地域などに位置している場合には、地上中継局１０４からＤＭＢ信号を受信する。このように地上中継局１０４からＤＭＢ信号が受信される地域を強電界と称する。このとき、強電界において受信されるＤＭＢ信号は約数十ｄＢｍ〜−５０ｄＢｍ程度の信号レベルを有する。このため、ＤＭＢ受信用の端末１０６は、弱電界及び強電界に亘っての広い範囲の信号レベルをカバーしなければならない。
【０００４】
次に、地上波ＤＭＢサービスを提供するための構成を説明すると、ＤＭＢ受信用の端末１０６は地上波ＤＭＢ放送センター１０８から２０４〜２１０ＭＨｚの周波数帯域にて放送サービスを提供される。
【０００５】
上述のように、ＤＭＢサービスは、衛星及び地上波を通じてサービスを提供可能なサービスである。しかしながら、ユーザーがＤＭＢ受信用の端末で衛星または地上波放送を視聴するとき、弱電界に入って放送の視聴が不可能になった場合には、端末は、現在電波の受信が不可能である旨を報知して放送サービス提供を終了する。
【０００６】
しかしながら、もし、衛星／地上波ＤＭＢデータの受信が両方とも行える端末が衛星ＤＭＢ受信モードにて動作している最中に衛星弱電界に入った場合、端末は、現在衛星ＤＭＢ受信モードにてデータを受信することができないため、地上波ＤＭＢデータが受信可能な状態であるにも拘わらず、放送サービスを終了することがある。また、衛星／地上波ＤＭＢデータの受信が両方とも行える端末が地上波ＤＭＢ受信モードにて動作している最中に地上波弱電界に入った場合、端末は現在地上波ＤＭＢ受信モードにてデータを受信することができないため、衛星ＤＭＢデータが受信可能な状態であるにも拘わらず、放送サービスを終了することがある。
【特許文献１】韓国特許出願公開第２００６−６６０２２号公報
【発明の開示】
【発明が解決しようとする課題】
【０００７】
本発明は、弱電界区間においてＤＭＢサービスを提供するための装置及び方法を提供する。
【０００８】
また、本発明は、衛星ＤＭＢサービスの提供中に衛星ＤＭＢ弱電界に入って地上波ＤＭＢデータが受信可能となった場合、衛星ＤＭＢ受信モードを地上波ＤＭＢ受信モードに切り替えて放送サービスを提供し続けるようにした装置及び方法を提供する。
【０００９】
さらに、本発明は、地上波ＤＭＢサービスの提供中に地上波ＤＭＢ弱電界に入って衛星ＤＭＢデータが受信可能となった場合、地上波ＤＭＢ受信モードを衛星ＤＭＢ受信モードに切り替えて放送サービスを提供し続けるようにした装置及び方法を提供する。
【課題を解決するための手段】
【００１０】
上記の目的を達成するために、本発明は、デジタルマルチメディア放送（ＤＭＢ）サービスを提供するための装置において、第１のＤＭＢパケットデータを受信して出力する第１のＤＭＢ受信部と、第２のＤＭＢパケットデータを受信して出力する第２のＤＭＢ受信部と、上記第１及び第２のＤＭＢ受信部から入力されたパケットデータが第１のＤＭＢパケットデータであるか、あるいは、第２のＤＭＢパケットデータであるかを判断するパケット判断部と、第１のＤＭＢ受信モード中に上記第１のＤＭＢサービスが提供できない場合、上記パケット判断部において第２のＤＭＢパケットデータが検出されると、上記第１のＤＭＢ受信モードを上記第２のＤＭＢ受信モードに切り替え可能である旨を報知し、上記受信モードの切り替えの要求があれば、上記第１のＤＭＢ受信モードを上記第２のＤＭＢ受信モードに切り替えるように制御する制御部と、を備えることを特徴とする。
【００１１】
上記の目的を達成するために、本発明は、第１のＤＭＢ受信モードと第２のＤＭＢ受信モードが両立可能な端末においてデジタルマルチメディア放送（ＤＭＢ）サービスを提供するための方法において、ＤＭＢ受信モードを第１のＤＭＢ受信モードに設定するに伴い、上記第１のＤＭＢ受信モード中に第２のＤＭＢパケットデータを検出するステップと、上記第１のＤＭＢ受信モード中に上記第１のＤＭＢサービスが提供できない場合、上記第２のＤＭＢパケットデータの検出有無を検査するステップと、上記第２のＤＭＢパケットが検出されると、上記第１のＤＭＢ受信モードを上記第２のＤＭＢ受信モードに切り替え可能である旨を報知するステップと、ユーザーから受信モードの切り替えの要求があれば、上記第１のＤＭＢ受信モードを上記第２のＤＭＢ受信モードに切り替えるステップと、を含んでなることを特徴とする。
【発明の効果】
【００１２】
本発明は、衛星と地上波ＤＭＢサービスが両方とも提供可能な端末で衛星または地上波放送を視聴するとき、弱電界区間に入って放送の視聴が不可となった場合であっても、現在のＤＭＢ受信モードを除く、放送データが受信可能な別のＤＭＢ受信モードに切り替えてＤＭＢサービスを提供し続けることが可能になるという利点がある。
【発明を実施するための最良の形態】
【００１３】
以下、添付図面に基づき、本発明に係る好適な実施の形態を詳細に説明する。図中、同じ構成要素に対しては、たとえそれらが異なる図面に表示されているとしても、できる限り同じ参照番号及び符号を付していることに留意すべきである。本発明を説明するに当たって、関連する公知の機能あるいは構成についての詳細な説明が本発明の要旨を余計に曖昧にすると認められる場合、その詳細な説明を省く。
【００１４】
先ず、図２を参照して、本発明が適用されるＤＭＢ受信端末の構成を説明する。図２は、本発明が適用されるＤＭＢ受信端末の構成を示す図である。図２に示すように、ＤＭＢ受信端末は、ＤＭＢ受信部２０２と、地上波／衛星パケット判断部２００と、信号強度検出部２０１と、制御部２２０と、ＤＭＢ処理部２０９と、オーディオバッファ２１２と、ビデオバッファ２１４と、を備える。
【００１５】
上記ＤＭＢ受信部２０２は、制御部２２０の制御によりＤＭＢ信号を受信してＤＭＢ処理部２０９に伝達する。本発明において、ＤＭＢ受信用の端末は、地上波と衛星ＤＭＢが両方とも受信可能な端末であるため、ＤＭＢ受信部２０２は、地上波ＤＭＢパケットデータをアンテナを通じて受信する地上波ＤＭＢ受信部２０６と、衛星ＤＭＢパケットデータをアンテナを通じて受信する衛星ＤＭＢ受信部２０４と、を備える。
【００１６】
地上波／衛星パケット判断部２００は、地上波ＤＭＢ受信部２０６と衛星ＤＭＢ受信部２０４から入力されるパケットデータを検査して、地上波パケットデータであるか、あるいは、衛星パケットデータであるかを判断し、判断の結果に応じて、当該ＤＭＢ処理部に受信したパケットを出力する。すなわち、地上波／衛星パケット判断部２００において、入力されたパケットデータが地上波データであると判断された場合、地上波ＤＭＢ処理部２０８にパケットデータを出力し、入力されたパケットデータが衛星パケットデータであると判断された場合、衛星ＤＭＢ処理部２１０にパケットデータを出力する。
【００１７】
信号強度検出部２０１は、ＤＭＢ受信部２０２から受信した信号の強度を検出し、制御部２２０に出力する。
【００１８】
制御部２２０は、ＤＭＢ受信用の端末１０６の全体的な制御を行い、特に、本発明において、制御部２２０は、衛星ＤＭＢ受信モード中に上記衛星ＤＭＢサービスが提供できない場合、上記地上波／衛星パケット判断部２００において地上波パケットデータが検出されると、上記衛星ＤＭＢ受信モードを上記地上波ＤＭＢ受信モードに切り替え可能である旨を報知し、上記受信モードの切り替えの要求があれば、上記衛星ＤＭＢ受信モードを上記地上波ＤＭＢ受信モードに切り替えるように制御する。また、制御部２２０は、上記地上波ＤＭＢ受信モード中に上記地上波ＤＭＢサービスが提供できない場合、上記地上波／衛星パケット判断部２００において衛星パケットデータが検出されると、上記地上波ＤＭＢ受信モードを上記衛星ＤＭＢ受信モードに切り替え可能である旨を報知し、受信モードの切り替えの要求があれば、上記地上波ＤＭＢ受信モードを上記衛星ＤＭＢ受信モードに切り替えるように制御する。
【００１９】
ＤＭＢ処理部２０９は、キー入力部（図示せず）から入力されるキーデータによる制御部２２０の制御によって、ＤＭＢ受信部２０２から入力されるＤＭＢ信号をデコードする。本発明によるＤＭＢ処理部２０９は、地上波ＤＭＢ処理部２０８と衛星ＤＭＢ処理部２１０とを備える。また、ＤＭＢ処理部２０９は、地上波／衛星パケット判断部２００から地上波ＤＭＢ処理部２０８と衛星ＤＭＢ処理部２１０に入力されるパケットデータをそれぞれの処理部においてデコードする。また、デコードされたＤＭＢ信号に含まれているビデオデータはビデオバッファ２１４を通じて、音声データは音声バッファ２１２を通じてそれぞれのコーデックに出力する。
【００２０】
以下、図３に基づき、上記図２に示すように構成されるＤＭＢ受信用の端末１０６が弱電界区間に入って現在のＤＭＢ受信モードにて放送サービスが提供できない場合における、ＤＭＢ放送サービスを提供し続けるための過程について説明する。図３は、本発明の実施の形態による、弱電界区間におけるデジタルマルチメディア放送受信端末の動作を示すフローチャートである。
【００２１】
先ず、ステップＳ３００において、ＤＭＢ受信用の端末１０６は、衛星ＤＭＢ受信モードに設定されていると仮定する。以降、ＤＭＢ受信用の端末１０６の制御部２２０は、地上波ＤＭＢ受信部２０６と衛星ＤＭＢ受信部２０４を通じて受信されるＤＭＢパケットデータを地上波／衛星パケット判断部２００に出力するように制御する。このとき、受信されるパケットが衛星ＤＭＢパケットデータであるか、あるいは、地上波ＤＭＢパケットデータであるかを区別するために、ＤＭＢ受信部２０２において地上波か衛星パケットデータかによってヘッダーを変更する方法が採用可能である。例えば、衛星ＤＭＢ受信部２０４は、アンテナを通じて受信した衛星ＤＭＢパケットデータのシンクバイトをそのまま「０ｘ４７」として挿入し、地上波ＤＭＢ受信部２０４は、アンテナを通じて受信した地上波ＤＭＢパケットデータのシンクバイトを上記の衛星ＤＭＢにおけるシンクバイトとは異なる数字として挿入することができる。
【００２２】
すると、ステップＳ３０２において、地上波／衛星パケット判断部２００は、上記のそれぞれの地上波／衛星ＤＭＢ受信部２０４、２０６から受信したパケットデータに含まれているシンクバイトを検査し、地上波ＤＭＢパケットデータと衛星ＤＭＢパケットデータとを区別することができる。すなわち、上記のように衛星ＤＭＢパケットデータのシンクバイトと地上波ＤＭＢパケットデータのシンクバイトとが互いに区別できる場合、地上波／衛星パケット判断部２００は、上記のＤＭＢ受信部２０２から入力されるパケットデータが地上波ＤＭＢパケットデータであるか、あるいは、衛星ＤＭＢパケットデータであるかを判断することができる。
【００２３】
上記のステップＳ３００ないしステップＳ３０２をさらに具体的に説明すると、ステップＳ３００において、ユーザーが衛星ＤＭＢ放送を視聴する目的で、端末を衛星ＤＭＢ受信モードに設定している状態であれば、端末は、ステップＳ３０２において、バックグラウンドに地上波ＤＭＢのアンサンブルをＲＦロックして、ＤＭＢパケットの受信有無を確認する。このとき、アンアンブルとは、１．５３６ＭＨｚの伝送帯域幅を有する１本の物理的な伝送チャンネル内に、「超短波デジタルラジオ放送送受信整合標準」において定義した多数のサービスコンポーネントに多重化することのできるチャンネルのことを言う。次いで、地上波／衛星（ＴＳ）パケットが受信された場合、それを地上波／衛星パケット判断部２００に伝送して地上波放送データが受信できるかどうかを確認する。もし、地上波放送データの受信が確認された場合、次のアンサンブルの周波数（ＲＦ）をロックして地上波／衛星（ＴＳ）パケットの受信を確認する。このように、全てのアンサンブル毎に地上波放送データの検出を繰り返し行い、現在地上波ＤＭＢサービスが提供可能な放送チャンネルの一覧を生成する。
【００２４】
次いで、ステップＳ３０４において、制御部２２０は、信号強度検出部２０１から現在の衛星ＤＭＢ信号の強度が弱電界であることを判断するための臨界値以下の値であるかを検査する。すなわち、制御部２２０は、ユーザーが現在弱電界区間に入っているかを検査して、弱電界区間に入っている場合であれば、ステップＳ３０６へ進み、そうでなければ、ステップＳ３００へ進んで衛星ＤＭＢ受信モードを維持し続ける。
【００２５】
ステップＳ３０４からステップＳ３０６へと進むと、制御部２２０は、地上波ＤＭＢパケットデータの検出有無を検査する。より具体的には、制御部２２０は、地上波／衛星パケット判断部２００において地上波パケットデータの検出有無を検査する。
【００２６】
ステップＳ３０６における検査の結果、地上波パケットデータが検出されると、ステップＳ３０８へ進み、そうでなければ、ステップＳ３１２へ進んで現在ＤＭＢサービスが提供できない地域である旨をユーザーに知らせる。このとき、ユーザーにＤＭＢサービスが提供できない旨を知らせるための画面は、図４Ｃに示すように、画面に「現在ＤＭＢが受信できない地域です。終了しますか。」というメッセージをディスプレイすることができる。次いで、ステップＳ３１４へ進み、制御部２２０は、ユーザーからＤＭＢサービスの終了のための入力があったかどうかを検査して、終了のための入力があった場合に終了し、そうでなければ、ステップＳ３００へ進んで衛星ＤＭＢ受信モードを維持し続ける。しかしながら、このときには、ステップＳ３００へ進んでも、現在衛星ＤＭＢ弱電界区間であることから、受信モードのみを取るだけであり、衛星ＤＭＢパケットデータが受信されない区間であるため、ユーザーに放送サービスを提供することができない。このとき、衛星ＤＭＢ弱電界区間から外れている場合、衛星ＤＭＢ受信モードをさらに維持して、放送サービスを提供することが可能になる。
【００２７】
一方、ステップＳ３０６における検査の結果、地上波パケットデータが検出されると、制御部２２０は、ステップＳ３０８へ進んで、衛星ＤＭＢ受信モードを地上波ＤＭＢ受信モードに切り替え可能である旨をユーザーに知らせる。このとき、受信モードが切り替え可能である旨を報知し、且つ、上記のステップＳ３０２における検出の最中に生成された地上波ＤＭＢにて受信可能な地上波放送チャンネル情報を出力することもできる。すなわち、現在衛星ＤＭＢ弱電界区間であるが、地上波ＤＭＢサービスは可能であるため、それをユーザーに報知し続けて、ユーザーにＤＭＢサービスを提供できるようにする。例えば、図４Ａに示すように、画面に「衛星ＤＭＢ弱電界区間です。地上波ＤＭＢ受信モードへの切り替えを行いますか。」というメッセージをディスプレイすることができる。
【００２８】
ステップＳ３１０において、制御部２２０は、ユーザーからＤＭＢ受信モードの切り替え、すなわち、衛星ＤＭＢ受信モードから地上波ＤＭＢ受信モードへの切り替えのための入力があったかどうかを検査する。
【００２９】
ステップＳ３１０における検査の結果、ＤＭＢ受信モードの切り替えのための入力があれば、ステップＳ３１６へ進み、そうでなければ、ステップＳ３１２へ進んで、現在ＤＭＢサービスが提供できない地域である旨をユーザーに知らせる。次いで、ステップＳ３１４へ進んで、制御部２２０は、ユーザーからＤＭＢサービスの終了のための入力があったかどうかを検査し、終了のための入力があった場合に終了し、そうでなければ、ステップＳ３００へ進んで、衛星ＤＭＢ受信モードを維持し続ける。このときにも、上述したように、現在衛星ＤＭＢ弱電界区間であるため、受信モードのみを取るだけであり、衛星ＤＭＢパケットデータが受信されない区間であるため、ユーザーに放送サービスを提供することができない。このとき、衛星ＤＭＢ弱電界区間から外れている場合、衛星ＤＭＢ受信モードをさらに維持して、放送サービスを提供することが可能になる。
【００３０】
一方、ステップＳ３１０における検査の結果、ＤＭＢ受信モードの切り替えのための入力があれば、ステップＳ３１６へ進んで、制御部２２０は、地上波ＤＭＢ受信モードを維持する。次いで、ステップＳ３１８へ進んで、衛星ＤＭＢパケットデータを検出する。
【００３１】
上記のステップＳ３１６からステップＳ３１８までのステップをより具体的に説明すると、ステップＳ３１６において、地上波ＤＭＢ受信モードにてＤＭＢサービスの提供を受けているとき、端末は、ステップＳ３１８において、バックグラウンドに衛星ＤＭＢのアンサンブルを周波数（ＲＦ）ロックして、ＤＭＢパケットの受信有無を確認する。次いで、地上波／衛星（ＴＳ）パケットが受信された場合、それを地上波／衛星パケット判断部２００に伝送して衛星放送データが受信できるかどうかを確認する。もし、衛星放送データ受信が確認された場合、次のアンサンブルをＲＦロックして、地上波／衛星（ＴＳ）パケット受信を確認する。このようにして全てのアンサンブル毎に衛星放送データの検出を繰り返し行い、現在衛星ＤＭＢサービスが提供可能な放送チャンネルの一覧を生成する。
【００３２】
次いで、ステップＳ３２０へ進み、制御部２２０は、信号強度検出部２０１において現在の地上波ＤＭＢ信号の強度が弱電界であることを判断するための臨界値以下の値であるかを検査する。すなわち、制御部２２０は、ユーザーが現在地上波ＤＭＢ弱電界区間に入っているかどうかを検査して、もし、地上波ＤＭＢ弱電界区間に入っている場合であれば、ステップＳ３２２へ進み、そうでなければ、ステップＳ３１６へ進んで、地上波ＤＭＢ受信モードを維持し続ける。
【００３３】
ステップＳ３２０からステップＳ３２２へ進むと、制御部２２０は、衛星ＤＭＢパケットデータの検出有無を検査する。より具体的には、制御部２２０は、地上波／衛星パケット判断部２００において衛星パケットデータの検出有無を検査する。
【００３４】
ステップＳ３２２における検査の結果、衛星パケットデータが検出されると、ステップＳ３２４へ進み、そうでなければ、ステップＳ３１２へ進んで、現在ＤＭＢサービスが提供できない地域である旨をユーザーに知らせる。次いで、ステップＳ３１４へ進み、制御部２２０は、ユーザーからＤＭＢサービスの終了のための入力があったかどうかを検査して、終了のための入力があった場合に終了し、そうでなければ、ステップＳ３００へ進んで、衛星ＤＭＢ受信モードを維持し続ける。しかしながら、このときには、ステップＳ３００に進んでも、現在衛星ＤＭＢ弱電界区間であるため、受信モードのみを取るだけであり、衛星ＤＭＢパケットデータが受信されない区間であるため、ユーザーに放送サービスを提供することができない。このとき、もし、衛星ＤＭＢ弱電界区間から外れている場合、衛星ＤＭＢ受信モードをさらに維持して、放送サービスを提供することが可能になる。また、このとき、衛星だけではなく、地上波ＤＭＢパケットデータも受信できない弱電界区間である場合には、ユーザーの設定によるいずれかのＤＭＢ受信モードを維持すればよく、現在のＤＭＢ受信モードを維持し続けてもよい。
【００３５】
一方、ステップＳ３２２における検査の結果、衛星パケットデータが検出されると、制御部２２０は、ステップＳ３２４へ進んで、地上波ＤＭＢ受信モードを衛星ＤＭＢ受信モードに切り替え可能である旨をユーザーに知らせる。このとき、受信モードが切り替え可能である旨を報知し、且つ、上記のステップＳ３１８において、検出中に生成された衛星ＤＭＢにて受信可能な衛星放送チャンネル情報を出力することもできる。例えば、図４Ｂに示すように、画面に「地上波ＤＭＢ弱電界区間です。衛星ＤＭＢ受信モードへの切り替えを行いますか。」というメッセージをディスプレイすることができる。すなわち、現在地上波ＤＭＢ弱電界区間であるが、衛星ＤＭＢサービスは提供可能であるため、それをユーザーに報知し続けて、ユーザーにＤＭＢサービスを提供可能にする。
【００３６】
ステップＳ３２６において、制御部２２０は、ユーザーからＤＭＢ受信モードの切り替え、すなわち、地上波ＤＭＢ受信モードから衛星ＤＭＢ受信モードへの切り替えのための入力があったかどうかを検査する。
【００３７】
ステップＳ３２６における検査の結果、ＤＭＢ受信モードの切り替えのための入力があれば、ステップＳ３００へ進んで衛星ＤＭＢ受信モードを維持し、そうでなければ、ステップＳ３１２へ進む。
【００３８】
上述したように、本発明は、衛星または地上波ＤＭＢ受信モード中に弱電界に入って放送の視聴が不可能となった場合であっても、現在の受信モードを除く、放送サービスが提供可能な別の受信モードに切り替えることで、放送サービスを提供し続けるようにする。
【００３９】
なお、本発明の詳細な説明においては、具体的な実施の形態について説明したが、本発明の範囲から逸脱しない範囲内であれば、種々な変形が可能であることは言うまでもない。例えば、本発明の実施例においては、地上波ＤＭＢと衛星ＤＭＢである場合を例に取って説明しているが、ヨーロッパ型ＤＶＢ−Ｈ、 クアルコムメディアフロー、中国型ＤＭＢなどの種々の形式のデジタルマルチメディア放送にも適用可能である。よって、本発明の範囲は、上述した実施の形態に限定されるものではなく、特許請求の範囲とその均等物によって定められるべきである。
【図面の簡単な説明】
【００４０】
【図１】通常のデジタルマルチメディア放送システムを示す図である。
【図２】本発明が適用されるデジタルマルチメディア放送受信端末の構成を示す図である。
【図３】この実施例による、弱電界区間におけるデジタルマルチメディア放送受信端末の動作を示すフローチャートである。
【図４Ａ】本発明の実施例による表示画面を示す図である。
【図４Ｂ】本発明の実施例による表示画面を示す図である。
【図４Ｃ】本発明の実施例による表示画面を示す図である。
【符号の説明】
【００４１】
２００：地上波／衛星パケット判断部
２０１：信号強度検出部
２０２：ＤＭＢ受信部
２０４：衛星ＤＭＢ受信部
２０６：地上波ＤＭＢ受信部
２０８：地上波ＤＭＢ処理部
２０９：ＤＭＢ処理部
２１０：衛星ＤＭＢ処理部
２１２：オーディオバッファ
２１４：ビデオバッファ
２２０：制御部
【図１】
2007159121.tif 000003
【図２】
2007159121.tif 000004
【図３】
2007159121.tif 000005
【図４Ａ】
2007159121.tif 000006
【図４Ｂ】
2007159121.tif 000007
【図４Ｃ】
2007159121.tif 000008